(57)【要約】【課題】照明光入射面から照明光が入射されない場合でも自己発光性によって表示物を外観に目立つように現出させると共に、その表示物に深みのある三次元的な意匠性の高い外観を備えるようにできる面発光装置を提供する。【解決手段】照明光入射面２ａとなる導光板２の側端面から内部に導入された照明光を、導光板２の裏面に設けた光反射部４によって表側に反射させ、この反射した光を、照明光出射面２ｂとなる導光板２の表面から、導光板２の表面に設けた光透過部３を通して、表側に照射可能にして成る面発光装置１である。光透過部３に柄模様５を備える。光反射部４に非白色系統のベース色６を備える。【選択図】図１
2009080981.tif 000002
【特許請求の範囲】
【請求項１】
照明光入射面となる導光板の側端面から内部に導入された照明光を、導光板の裏面に設けた光反射部によって表側に反射させ、この反射した光を、照明光出射面となる導光板の表面から、導光板の表面に設けた光透過部を通して、表側に照射可能にして成る面発光装置であって、光透過部に柄模様を備え、光反射部に非白色系統のベース色を備えたことを特徴とする面発光装置。
【請求項２】
光透過部に備える柄模様としては木目模様であり、光反射部に備えるベース色としては木材の下地色であることを特徴とする請求項１記載の面発光装置。
【発明の詳細な説明】
【技術分野】
【０００１】
本発明は、面発光装置に関するものである。
【背景技術】
【０００２】
従来から、照明光入射面となる導光板の側端面から内部に導入された照明光を、導光板の裏面に配置した光反射部によって表側に反射させ、この反射した光を、照明光出射面となる導光板の表面から、導光板の表面に設けた光透過部を通して、表側に照射可能にして成る面発光装置は、たとえば表示板などに多用されており、照明光出射面となる導光板の表面から照射される照明光をバックライトとして用いて、光透過部に備えた図柄を表示物として外観に現出させることが行われている（たとえば特許文献１参照）。
【０００３】
ここで、光透過部に備えた図柄は表示物そのものであり、つまり表示物がベース色を背景とした柄模様（文字も含む）であれば、光透過部に備える図柄はベース色上に柄模様を描画したようなものである。
【０００４】
ところで、上記面発光装置は、照明の消灯時には、表示物がその裏側から照らし出されずに暗くほとんど目立たないくすんだ外観になる、すなわち自己発光性が無いという欠点がある。たとえば上記面発光装置を室内に設置する誘導灯に使用する場合、照明が点灯しなければ表示物としての誘導標識が目立たず、誘導灯としての機能が低下するということも考えられる。
【０００５】
更に言うと、この面発光装置では、光透過部に備える図柄は立体感の無い２次元的な表示物としてその外観に現出されるに過ぎなく、表示物の外観に高い意匠性を備えることができない、という問題もあった。
【特許文献１】特開２００３−２０８１１５号公報
【発明の開示】
【発明が解決しようとする課題】
【０００６】
本発明は上記の点に鑑みてなされたものであり、その目的とするところは、照明光入射面から照明光が入射されない場合でも自己発光性によって表示物を外観に目立つように現出させると共に、その表示物に深みのある三次元的な意匠性の高い外観を備えるようにできる面発光装置を提供することにある。
【課題を解決するための手段】
【０００７】
上記課題を解決するために本発明の請求項１記載の面発光装置にあっては、照明光入射面２ａとなる導光板２の側端面から内部に導入された照明光を、導光板２の裏面に設けた光反射部４によって表側に反射させ、この反射した光を、照明光出射面２ｂとなる導光板２の表面から、導光板２の表面に設けた光透過部３を通して、表側に照射可能にして成る面発光装置１であって、光透過部３に柄模様５を備え、光反射部４に非白色系統のベース色６を備えたことを特徴とする。
【０００８】
これによると、照明灯７が消灯するなどして照明光入射面２ａとなる導光板２の側端面から照明光が内部に導入されない場合にあっても、面発光装置１の周囲の光を光反射部４を通過させて導光板２の内部に取り込み、光反射部４に備えた非白色系統のベース色６を照らすと共に光反射部４で表側に反射させて、光透過部３に備えた柄模様５を裏側から照らし出すようにできる。つまり、自己発光性を備えるようにでき、ベース色６を背景とした柄模様５という表示物を外観に比較的目立つように現出させることができるのである。また、ベース色６を背景とした柄模様５という表示物は、ベース色６と柄模様５との位置が導光板２の厚み分ずれているため、深みのある三次元的な外観となるのであり、高い意匠性を備えることができるのである。
【０００９】
また、請求項２記載の面発光装置にあっては、請求項１において、光透過部３に備える柄模様５としては木目模様であり、光反射部４に備えるベース色６としては木材の下地色であることを特徴とする。
【００１０】
これによると、木材の下地色を背景とした木目模様が木目調表示物を現出できるのであり、殊にこの木目調表示物は、木目模様が下地から浮き上がるような凹凸のある無垢木材の質感を醸し出すことができ、高い意匠性を備えることができる。
【発明の効果】
【００１１】
本発明にあっては、照明光入射面から照明光が入射されない場合でも自己発光性によって表示物を外観に目立つように現出させると共に、その表示物に深みのある三次元的な意匠性の高い外観を備えるようにできる、という利点を有する。
【発明を実施するための最良の形態】
【００１２】
以下、本発明を添付図面に示す実施形態に基いて説明する。
【００１３】
本例の面発光装置１は、図３のように、照明光入射面２ａとなる導光板２の側端面から内部に導入された照明光Ａを、導光板２の裏面に設けた光反射部４によって表側に反射させ、この反射した光を、照明光出射面２ｂとなる導光板２の表面から、導光板２の表面に設けた光透過部３を通して表側に照射し、ベース色６を背景とする柄模様５を表示物として外観に現出可能にしたパネル体である。
【００１４】
照明光の光源（照明灯７）としては直管型蛍光灯や多数のＬＥＤを列状に配設して成る線光源を好適に用いることができ、本例の装置ではこの線光源を導光板２の照明光入射面２ａに沿わせて配置している。また、導光板２としては無色透明なアクリル板を好適に用いることができる。また、光透過部３としては、無色の透明シートで構成することができるが、透明な導光板２の表面そのものであってもよい。
【００１５】
また、光反射部４としては、導光板２の裏面に光反射面を形成させて構成させてもよいが、本例では別体の光反射板を導光板２の裏面に沿わせて配置させてこれを構成させている。なお、光反射部４は、照明光入射面２ａから導光板２の内部に入射された照明光を表側に反射させるものであるが、パネル体の前面に略一様（輝度の均一性を保って）に反射光を照射させるような反射パターンを備えるのも好ましい。反射パターンとしては、たとえば平坦な反射面に照明光入射面２ａから離れるほど並設ピッチを細かくした多数の溝を刻設する等が挙げられる。
【００１６】
ここで、本例の面発光装置１は叙述のようにベース色６を背景とする柄模様５を表示物として外観に現出するものであるが、図１（ａ）のように、柄模様５をのみ光透過部３に備え、ベース色６は光反射部４に備えるようにしており、両者を重ね合わせて表現するようにして上記表示物を現出させている。なお、光反射部４に備えるベース色６としては、白や銀などの反射率の高い白色系統の色のみで構成されるものを除く、少なくとも一部に非白色系統の色を備えるものを想定している。
【００１７】
具体的には、本例の面発光装置１での表示物は図２のような木目調表示物である。したがって、本例の面発光装置１は壁面材や天井面材などの建築用パネルに適用できる木目調パネルとなっており、詳しくは照明灯７が消灯したときには通常の木目調パネルに見えるが、照明灯７が点灯すると照明装置として機能するようになっている。
【００１８】
すなわち、光透過部３に備える柄模様５は木目模様であり、光反射部４に備えるベース色６は木材の下地色となる茶色系統の色が付されている。光透過部３が透明シートで構成される場合には透明シートに、また光透過部３が導光板２の表面で構成される場合には導光板２の表面に、それぞれ柄模様５を印刷等することで、柄模様５を光透過部３に備えることができる。いずれにせよ柄模様５を除いた光透過部３の全ての箇所は無色透明部８となっている。
【００１９】
したがって、本例の面発光装置１では、照明灯７が消灯するなどして照明光入射面２ａとなる導光板２の側端面から照明光が内部に導入されない場合にあっても、図１（ｂ）のように、面発光装置１の周囲の光（外光Ｂ）が光反射部４の主に無色透明部８を通過して導光板２の内部に取り込まれ、光反射部４に備えたベース色６を照らすと共に光反射部４で表側に反射されて、光透過部３に備えた柄模様５を裏側から照らし出すようにできたものである。つまり、照明灯７が消灯した場合にも本例の面発光装置１では、あたかもバックライトで表示物が外観に浮き出されるような自己発光性を備えることができたのであり、照明灯７が消灯した場合にも表示物を比較的明るく目立つように外観に現出させることができたものである。
【００２０】
また、上記のように本例のベース色６を背景とした柄模様５という表示物は、ベース色６と柄模様５との位置が導光板２の厚みの分だけ表裏方向にずれているため、深みのある三次元的な外観となるのであって、高い意匠性を備えることもできたのである。特に表示物が本例の木目調表示物の場合には、木目模様が下地から浮き上がるような凹凸のある無垢木材の質感を醸し出すことができて好ましい。
【００２１】
なお、上記実施形態では建築用パネルとして使用される面発光装置１を例示したが、面発光装置１は背景技術のように非常口誘導灯等の表示板として使用することもできる。この場合、表示物が上記実施形態とは異なるのであるが、文字や図柄である柄模様５の背景に下地となるベース色６がある形態の表示物であって、柄模様５を光透過部３に、ベース色６を光反射部４にそれぞれ備えるようにすれば、上記実施形態と同様の利点を備えることができる。面発光装置１が非常口誘導灯であれば表示物は誘導標識ということになるが、この場合、柄模様５としてのたとえば非常口を指す矢印が、背景のベース色６から浮き上がって現出されることとなって、注意喚起を促すようにできるのであり、また何らかの理由で照明灯７が消灯した場合にも、自己発光性によって誘導標識を比較的目立つように外観に現出できるから、誘導灯としての機能を確保できるのであり好ましいのである。
【図面の簡単な説明】
【００２２】
【図１】本発明の実施の形態の例の面発光装置であり、（ａ）は分解斜視図であり、（ｂ）は照明灯消灯時の自己発光性を説明する概略側断面図である。
【図２】同上の面発光装置の平面図である。
【図３】同上の照明灯点灯時の概略側断面図である。
【符号の説明】
【００２３】
１  面発光装置
２  導光板
２ａ  照明光入射面
２ｂ  照明光出射面
３  光透過部
４  光反射部
５  柄模様
６  ベース色
７  照明灯
８  無色透明部
【図３】
2009080981.tif 000003
【図１】
2009080981.tif 000004
【図２】
2009080981.tif 000005